(57)【特許請求の範囲】
【請求項１】
積み重ね可能なカップと、該カップに使用する積み重ね可能なカバーと、該カバーを前記カップに対し実質的液体密封状に固定するための前記カバーおよびカップの協働手段とを有し、前記カバーが飲料の小出し開口を中に有すると共に、該開口を選択的に閉じて容器中の飲料が前記開口から流れ出るのを阻止する蓋を有し、
前記カップが、開放上端、周囲壁、および対向する閉じた底部を有し、前記周囲壁が、前記底部から前記上端へ延在する第１傾斜状壁部と、前記上端から前記底部に向かって延在する第２傾斜状壁部と、前記第１および第２傾斜状壁部を連結する段部とを含み、
前記カバーが前記開口を形成した略円筒形の頸部を有し、且つ前記蓋が前記頸部に回転可能に取り付けられており、
前記頸部が該頸部内に略倒立切頭円錐状壁を有し、該壁が開放上端と小径の内方底部を形成し、前記倒立切頭円錐状壁に前記開口が形成され、前記蓋が、前記小径の内方底部に枢着されたピボットピン状の中央柱と、前記倒立切頭円錐状壁に係合するため前記中央柱から延出し且つ前記蓋の第１位置において前記倒立切頭円錐状壁の前記開口を塞ぎ、且つ前記蓋の第２位置において飲料を前記開口を通じて前記カップから通過させるように配置された密封手段とを有することを特徴とする飲料容器。
【請求項２】
前記中央柱および前記略切頭円錐状壁の前記小径の内方底部が、前記蓋を前記容器の前記頸部に相対的に回転するように保持するための協働するスナップフィット手段を含むことを特徴とする請求項１記載の飲料容器。
【請求項３】
前記中央柱および前記小径の内方底部が、これら両者間に略液体密封シールを形成するための円錐状の補合面を有することを特徴とする請求項２記載の飲料容器。
【請求項４】
前記頸部が前記切頭円錐状壁が垂下する肩部を持った上端を有し、前記肩部が、前記蓋が第２位置にあるときに前記容器に空気を流入させることができる開口を含むと共に、前記蓋が第１位置にあるときに前記容器へ空気が流入することを阻止する協働手段を含むことを特徴とする請求項１記載の飲料容器。
【請求項５】
前記頸部が前記空気流入開口に近い前記頸部に外側スロットを有し、前記蓋が前記第２位置にあるときに該スロットを通じて前記蓋の外部から前記容器内に空気を流入させるように構成したことを特徴とする請求項４記載の飲料容器。
【請求項６】
前記蓋が１対の外側スロットと内側突起を有し、前記蓋が第１位置または第２位置にあるときこれらの位置を表示するため前記突起が前記スロットの中に整合されることを特徴とする請求項５記載の飲料容器。
【請求項７】
前記頸部が、前記飲料の前記小出し開口に追加して空気通路を形成する一体的に形成された手段を含み、前記飲料が分配される間、前記容器内へ空気が流入することを可能としたことを特徴とする請求項１記載の飲料容器。
【請求項８】
前記蓋が前記頸部の前記飲料の小出し開口を閉じる位置にあるとき、前記空気通路を密封する密封手段を前記蓋が含むことを特徴とする請求項７記載の飲料容器。
【請求項９】
カップと、該カップに使用する略ドーム状の、開放した頸部を含むカバーと、前記頸部に回転可能に取り付けられて、前記カップから飲み物を分配することができるように前記頸部を選択的に開閉する蓋とを備え、前記カップおよび前記カバーが、該カバーを前記カップに対し実質的液体密封状に固定するための相互かみ合い機構を有し、
前記頸部が該頸部内に略倒立切頭円錐状壁を有し、該壁が開放した上端と小径の内方底部を形成し、前記倒立切頭円錐状壁に小出し開口が形成され、前記蓋が前記小径の内方底部に枢着されたピボットピン状の中央柱と、前記倒立切頭円錐状壁に係合するため前記中央柱から延出し且つ前記蓋の第１位置において前記倒立切頭円錐状壁の前記開口を塞ぎ且つ前記蓋の第２位置において飲料を前記開口を通じて前記カップから通過させるように配置されたシール面とを有することを特徴とする飲料容器。
【請求項１０】
前記中央柱および略切頭円錐状壁の前記小径の内方底部は、前記カバーを前記容器の前記頸部に相対的に回転するように保持するための協働するスナップフィット手段を有することを特徴とする請求項９記載の飲料容器。
【請求項１１】
前記中央柱と前記小径の内方底部はこれら両者間に略液体密封シールを形成するための円錐状の補合面を有することを特徴とする請求項１０記載の飲料容器。
【請求項１２】
前記頸部が前記切頭円錐状壁が垂下する肩部を持った上端を有し、前記肩部が前記蓋の前記第２位置において前記容器に空気を流入させるための開口を備え、前記蓋の前記第１位置において前記容器への空気の流入を阻止する協働手段を前記蓋に設けたことを特徴とする請求項９記載の飲料容器。
【請求項１３】
前記頸部が前記空気流入開口に近い前記頸部に外側スロットを有し、前記蓋の前記第２位置において該スロットを通じて蓋の外部から容器内に空気を流入させるように構成したことを特徴とする請求項１２記載の飲料容器。
【請求項１４】
前記蓋が１対の外側スロットと内側突起を有し、前記蓋が第１位置または第２位置にあるときこれらの位置を表示するため前記突起が前記スロットの中に整合されることを特徴とする請求項１３記載の飲料容器。
【請求項１５】
カップと、該カップに使用する略ドーム状の、上方に突出する開放した頸部を含むカバーと、前記頸部に回転可能に取り付けられて、前記カップから飲み物を分配することができるように前記頸部を選択的に開閉する蓋とを備え、前記カップおよび前記カバーが、前記カバーを前記カップに対し実質的液体密封状に固定するための協働する構造を有し、該協働する構造が、前記カバーおよび前記カップ上に前記カバーおよび前記カップを実質的液体密封状にねじ係合させるための協働ねじ形状を有し、
開放上端を有する前記カップが、外方へ傾斜した内面を持った上縁を有し、且つ前記カバーが前記カップとねじ係合されたとき前記カップの傾斜内面に補合し且つ係合するように配置された傾斜面を備えた密封用フランジを有し、
前記カップ上の周囲フランジは、前記カバーに係合して、該カバーが前記カップ上にねじ込まれる範囲を規制してシール面との間に確実に適切な密封係合をし、
前記頸部が該頸部内に略倒立切頭円錐状壁を有し、該壁が開放した上端と小径の内方底部を形成し、小出し開口が前記壁内に形成され、前記蓋が前記小径の内方底部に枢着されたピボットピン状の中央柱と、前記倒立切頭円錐状壁に係合するため前記中央柱から延出し且つ前記蓋の第１位置において前記倒立切頭円錐状壁の前記開口を塞ぎ且つ前記蓋の第２位置において飲料を前記開口を通じて前記カップから通過させるように配置されたシール面とを有することを特徴とする飲料容器。
【請求項１６】
前記倒立切頭円錐状壁の前記中央柱と前記小径の内方底部が、前記蓋を容器の前記頸部に相対的回転ができるように保持するための協働するスナップフィットを形成することを特徴とする請求項１５記載の飲料容器。
【請求項１７】
前記中央柱と前記小径の内方底部はこれら両者間に略液体密封シールを形成するための円錐状の補合面を有することを特徴とする請求項１６記載の飲料容器。
【請求項１８】
前記頸部が前記倒立切頭円錐状壁が垂下する肩部を持った上端を有し、前記肩部が前記蓋の前記第２位置において前記容器に空気を流入させるための開口を備え、前記蓋の前記第１位置において前記容器への空気の流入を阻止する協働手段を前記蓋に設けたことを特徴とする請求項１７記載の飲料容器。
【請求項１９】
前記頸部が前記空気流入開口に近い前記頸部に外側スロットを有し、前記蓋の前記第２位置において前記スロットを通じて前記蓋の外部から前記容器内に空気を流入させるように構成したことを特徴とする請求項１８記載の飲料容器。
【請求項２０】
前記蓋が１対の外側スロットと内側突起を有し、前記蓋が第１位置または第２位置にあるときこれらの位置を表示するため前記突起が前記スロットの中に整合されることを特徴とする請求項１９記載の飲料容器。
【請求項２１】
前記カップが、周囲壁、対向する底部を有し、前記周囲壁が前記底部から前記上端へ向かって延在する第１傾斜状壁部と、前記上端から前記底部へ向かって延在する第２傾斜状壁部と、前記第１、第２の傾斜状壁部を連結する段部とを有することを特徴とする請求項１７記載の飲料容器。
【請求項２２】
前記第２傾斜状壁部の最小直径部が前記段部に接近し且つ前記第１傾斜状壁部の最大直径より大きいことを特徴とする請求項２１記載の飲料容器。
【請求項２３】
カップと、該カップに使用する略ドーム状の、上方に突出する開放した頸部を含むカバーと、前記頸部に回転可能に取り付けられて、前記カップから飲み物を分配することができるように前記頸部を選択的に開閉する蓋とを備え、前記カップおよび前記カバーが、前記カバーを前記カップに対し実質的液体密封状に固定するための協働機構を有し、該協働機構が、前記カバーおよび前記カップを実質的液体密封状にねじ係合させるための協働ねじ形状を前記カバーおよび前記カップ上に有し、
開放上端を有する前記カップが、外方へ傾斜した内面を持った上縁を有し、且つ前記カバーが前記カップとねじ係合されたとき前記カップの傾斜内面に補合し且つ係合するように配置された傾斜面を備えた密封用フランジを有し、
前記頸部が該頸部内に略倒立切頭円錐状壁を有し、該壁が開放した上端と小径の内方底部を形成し、小出し開口が前記壁内に形成され、前記蓋が前記小径の内方底部に枢着されたピボットピン状の中央柱と、前記倒立切頭円錐状壁に係合するため前記中央柱から延出し且つ前記蓋の第１位置において前記倒立切頭円錐状壁の前記開口を塞ぎ且つ前記蓋の第２位置において飲料を前記開口を通じて前記カップから通過させるように配置されたシール面とを有することを特徴とする飲料容器。
【請求項２４】
前記頸部が、前記飲料の前記小出し開口に追加して空気通路を形成する手段を含み、前記飲料が分配される間、前記容器内へ空気が流入することを可能としたことを特徴とする請求項２３記載の飲料容器。
【請求項２５】
前記蓋が前記頸部の前記飲料の小出し開口を閉じる位置にあるとき、前記空気通路を密封する密封手段を前記蓋が含むことを特徴とする請求項２４記載の飲料容器。
【発明の詳細な説明】
【０００１】
発明の背景
発明の分野
本発明は飲料容器に関し、特に飲料のファウンティン・ディスペンサ（ｆｏｕｎｔａｉｎ ｄｉｓｐｅｎｓｅｒ）で容器に多量の飲料を充填し、密封し、次に搬送目的や飲む目的で使用することができる特殊な構造のディスペンサに関する。
【０００２】
ファウンティンディスペンサに使用する飲料容器は従来広範囲の大きさと形状で提供されてきた。飲料のファウンティンディスペンサはしばしば、車中や遠隔地で消費するため搬送できるよう、カウンター作業員や消費者が容器に飲料を満たすファストフードの飲食店で使用されている。消費者が一旦飲食店を立ち去ると飲料容器を再充填することはできないので、消費者に、一般的な８オンスまたは１２オンスのカップより容量の大きい容器を提供することがしばしば望ましい。容器はその大きさに関係なく操作が容易であり搬送可能でなければならないが、容器は搬送中に動揺するので実質的に液体密封性でなければならない。またこの容器は、さらにファウンティンで容易に充填され、つぎに消費者により特殊な器具を使用することなく迅速容易に流体密封状に密封されなければならない。もちろん、この容器は通常使い捨てであるから比較的廉価でなければならない。
【０００３】
従来、ファウンティンディスペンサに使用される飲料容器は、適合したスナップオン式（ｓｎａｐ−ｏｎ）蓋を有し、蝋紙またはプラスチック材料で作られてきた。スナップオン式蓋は通常安全な連結部を備えていたが、液体密封性は有していなかった。さらに、従来のスナップオン式蓋は、容器を魅力的にしたり、容積を増大させたりせず且つそこから飲むことは困難であった。
【０００４】
スナップオントップ（ｓｎａｐ−ｏｎ ｔｏｐ ）を使用した従来提案のファウンティン容器が例えば米国特許第３８３，０３８号、米国特許第５，４２７，２６９号、米国特許第５，４３３，３３７号、米国特許第４，５０８，２３５号に開示されている。
【０００５】
本発明の目的は消費者により飲料ファウンティンで容易に充填され且つ液体密封状に閉止または再閉止されることができる飲料容器を提供することにある。
【０００６】
本発明の別の目的は構造が比較的に簡単で、飲料カップとカバーとの間に液体密封性を有し、且つ製造コストが経済的な飲料容器を提供することにある。
【０００７】
本発明の別の目的は多量の液体を液体密封状に収容し且つそこから飲むのに好都合である飲料容器を提供することである。
【０００８】
発明の概要
本発明により、カップと該カップに使用するほぼドーム状のカバーとを有する飲料容器が得られる。カバーとカップの両者はファウンティンディスペンサの近くに貯蔵するのに便利なように、他のカバーおよびカップと積み重ねできるように作られている。カバーは上方に突出した開放頸部を有し、且つ飲料をカップから小出しすることができるよう選択的に開閉する蓋を頸部に回転自在に取り付けてある。カバーとカップは協働作用するねじ部を備え、このねじ部によりカバーをカップに対し実質的な液体密封状態に固定することができる。このねじ装置はカバーおよびカップにシール（密封装置）を形成するための協働傾斜面を有し、カバーがカップ上の限界位置までねじ込まれるとき該カバーに衝突して静止する停止手段をカップに設け、これにより上記両傾斜シール面を互いに適正に配置して良好なシールを形成するようになっている。
【０００９】
本発明の上記目的およびその他の目的と特徴および効果は、次の実施の形態に関する詳細な説明を添付図面と関連して読むことにより明らかとなる。
【００１０】
詳細な説明
図面を詳細に参照すれば、最初に図１には本発明により作られた飲料容器１０が開示されている。この飲料容器はカップ１２、ドーム状カバー１４、該カバーの蓋１６を有する。これらの部品は図６に更に詳細に図示され、カップ１２は開放上端２０、周囲側壁２２、底部２４を含んでいる。周囲側壁２２は第１上区画２５と下区画２６を有する。これらの側壁区画２５、２６はカップの頂部から底にかけて僅かに傾斜している。しかし、側壁区画２５の下端は側壁区画２６の上端より大径である。これらの側壁区画２５、２６は業界公知の一体的段部２８により接続されている。もちろん、カップ１２の形状はその作用に実質的な影響を与えずに希望の形状にすることができるが、図示の特定の形状が、多量の液体（３２オンス）を普通の車両用カップホルダーに保持するため最適の作用をするものと考えられる。よって、図示の特定の形状において、下部側壁区画２６の直径は現在殆どすべての自動車に使用されている普通の飲料用カップホルダーに嵌合するようになっている。下部側壁区画２６はカップを固定するため、これらの車両用カップホルダーへの嵌合作用を遂行させる寸法を有し、また周囲側壁２２は前記カップホルダーにより強引に拘束されることなく、カップの容積を大きくする作用を提供する。カップの高さは、普通のファウンティンディスペンサの下に簡便に置いて飲料を充填できるような寸法に選ばれる。
【００１１】
カップ１２の上端２０は、例えば図４に示すように、カップから横方向に出っ張る環状の周囲フランジ３０を備えている。更に、カップの外面の上縁３４とフランジ３０との間にねじ形３２が設けられている。このねじ形３２はどんな形状でも良いが、好適な形状として急速嵌合ができ且つより一層堅固に嵌合できるよう二重ねじ形が良い。
【００１２】
カバー１４は大体ドーム状であり、且つ上部飲料小出し頸部４０と下端４２とを備えている。カバー１４の下端４２の断面を図４、５に示す。カバー１４の下端４２はカバー１４と一体になった環状壁４４を有し、該環状壁４４はカバー１４をカップ１２にねじ嵌合させるためねじ形３２と協働するようになった雌ねじ４６すなわち内側ねじ形４６を有する。更に、カバー１４の下端４２は内側ねじ形４６から内方へ隔たった下向きの環状フランジ４８を備えている。この環状フランジ４８は僅かに内方および下方へ傾斜した外面５０を有する。外面５０はカップ１２の上端２０の傾斜面５２と協働するように配置されている。傾斜面５２は傾斜外面５０と補合して、カバー１４がカップ１２にねじ込まれたとき、前記傾斜面５０、５２が図４、５に示すように互いに係合して液体密封シールを形成するようになっている。更に傾斜面５０、５２が互いに適正に係合したときに、環状壁４４の下端５４が周囲フランジ３０の上面５６に接触するような寸法になっている。この構成によりカバー１４がカップ１２の上に締めすぎにならず、かつ適当な液体密封シールを提供できるようになる。
【００１３】
本発明の図示の実施の形態において、カバー１４がその上に複数の装飾的リブ６０を備え、使用者のために容器に付加的な装飾を提供する。リブ６０の特殊な形状は本発明の一部とならない。
【００１４】
カバー１４の頸部４０は該カバーと一体であり、且つほぼ扁平な肩部６４により囲繞されているほぼ円筒形の上向き壁６２を備えている。壁６２は所定の長さ上向きに延びて壁６６すなわち扁平面６６となり、この扁平面６６は図４に示すように壁６２から内側を向いている。図７に最良に示すよう、ほぼ切頭円錐曲面状の壁６８が扁平面６６から下方に垂下している。図７に示すよう、この壁６８は１８０度より幾分大きな円弧であり且つ切断され、残りの円弧の中に開口７０を形成している。壁６８に開口７０を設けたことにより、消費のためにカップから飲料がカバー１４と開口７０を通じて分配される。また、ほぼ倒立切頭円錐状の壁６８はほぼ扁平な底部７２を有する。この底部７２は後述の目的で開口７４を有する。
【００１５】
壁６８の開口７０を選択的に開閉するため、蓋１６が頸部４０に回転自在に取り付けられている。図４、７、８に最良に明示されているように、蓋１６は周囲壁８０および一体構造の上壁８２を持ったほぼ倒立カップ状の部材である。上壁８２は図６に示すようにほぼ半円形の開口８４を有し、且つ上壁８２の一部分は蓋に形成された垂下状フランジ８６により構成されている。このフランジ８６は図７に示すように、頸部４０の開口７０の周りの扁平面または壁６６の表面８７と並ぶように形成されている。フランジ８６は表面または壁８７とシールを形成するため切欠付き可撓性縁８９（図７）を有する。更に蓋１６は上壁８２から下方に延びた一体構造の中央ピボットピンすなわち柱８８を有する。この柱８８は壁６８の底部材７２の開口７４にスナップフィット（ｓｎａｐ ｆｉｔ）すなわち締まり嵌合し、且つ蓋１６を底部材７２の中で回転可能にし、同時に液体密封シールを形成できるようになっている。
【００１６】
図４、７に示すように、柱８８の下端９０に環状の切欠部９２が形成されている。この切欠部９２は底部材７２の開口７４の周りに形成された内側向きの環状リブ７５にほぼ補合する。組立て時に、切欠部９２が環状リブ７５と係合するよう柱８８の端部９０が開口７４に入るまで、蓋１６が頸部４０に簡単に圧入される。容器と蓋は僅かに可撓性のあるプラスチック材料例えば薄壁のポリプロピレン等で作られているので、蓋が柱８８を受け入れるために撓み且つ柱８８を回転可能に保持する。この構造は、また、蓋と柱の間に実質的に液体密封シールを提供する。
【００１７】
さらに、蓋１６はそこから壁６８の円弧にほぼ等しい円弧延出した部分的円形のフランジ９４を備えている。このフランジ９４は図７に示すように（前述した縁８９に類似の）ワイパーシール（ｗｉｐｅｒ ｓｅａｌ）９６を備え、該ワイパーシール９６は壁６８（図４参照）と係合し、液体密封シールを提供する助けとなる。さらに柱８８は図８に示すように、３個のウエブシール（ｗｅｂ ｓｅａｌ）９８が延び出ている。これらのシール９８は図８に示すようにフランジ９４の端部１０２およびフランジ９４の解放円弧から他の２個のリブの間に延び出ている。中央リブが図４に仮想線で明示されている。
【００１８】
図４に示す蓋１６を閉じた位置において、直径方向に対向した２個のリブ９８（図４では見ることができない）が壁６８の補合内面と係合し、それと共に開口７０から液体が流出するのを防止するためのシールを形成する。蓋が１８０度回転されて図５の位置になると、蓋の開口８４が壁６８の開口７０の真上に移動し、そこで飲料が容器から小出しできるようになる。本発明の好適な実施の形態において、頸部４０がドーム状カバー１４上に非対称に配置されており、そこで蓋１６が解放位置に移動されると、図３に示すように蓋１６から飲料を直接飲むことができるよう、開口がなるべくカバー１４とカップ１２の側面を向くように配置されている。すなわち、蓋１６を解放位置にしたときストローをその中に入れることができ、または必要に応じ蓋１６から飲料を簡単に注ぐことができる。
【００１９】
使用者がカップ１２から飲料を容易に吸うことができるようにするため空気侵入通路が設けられている。図６に最良に示すように、頸部４０は２個のスロット状のへこみ１０４を有する。蓋１６が頸部４０上にある場合、へこみ１０４はその隙間の中へ外部から空気を流入させる。へこみ１０４を通過して入る空気を飲料容器１０に流入させるため、内周面１０６（図５）がカバー１４の頸部の円筒壁６２の頂部における扁平面６６から隔たるように設計されている。さらに、へこみ１０４を通じて入る空気をカップ１２の内部に流入させるためのアーチ状の開口すなわちスロット１０８がへこみ１０４の間に設けられている。スロット１０８とへこみ１０４は、蓋１６をドリンク位置すなわち飲む位置に回転したとき前記空気流動を可能にするよう配置されている。
【００２０】
蓋１６が閉止位置に回転されたとき、スロット１０８を封鎖して空気がカップに流入し飲料がカップから漏れるのを防止することが望ましい。そのため、蓋１６はスロット１０８に対応し、このスロット１０８に嵌るアーチ状突起１１０を備えている。蓋１６が図４に示す閉止位置に回転されているとき、突起１１０はスロット１０８に整合するよう蓋１６に配置されている。
【００２１】
蓋１６を図４の閉止位置から図５の解放位置へ位置決めするとき使用者に触感を提供するため、蓋１６の壁８０の内面に垂直方向の突出リブ１１２を備え、該突出リブ１１２は蓋１６が閉止位置にあるときへこみ１０４の１個と一致し、蓋１６が解放位置にあるとき別のへこみ１０４と一致するように配置されている。このようにして、蓋が二つの回転位置のどちらか一方にあり且つリブ１１２がへこみ１０４に一致するとき、蓋の回転で触感を与えるようになる。
【００２２】
蓋の頸部はカバー上に非対称であるが、カバーはほぼ対称であり且つ積み重ねることができる。同様にカップ１２も積み重ねることができる。すなわち、これらの部品は、使用者により個々に選択するため、および／または、使用者により組み立てるため、飲料のファウンティンディスペンサの近くに他の類似部品と積み重ねて置くことができる（図９、１０参照）。
【００２３】
上述したように本発明によりファウンティンディスペンサに使用するための信頼性の高い飲料容器が得られる。この容器は多量の飲料を漏出防止状態に収容できるが、必要に応じ使い捨てできるよう軽量のプラスチック材料で作られる。その構造は、カップに飲料を満たし、それを魅惑的な非対称のドームに密封結合し、使用者が飲料を漏らすことなく容易に小出しするため、カバーとカップを容易に操作できるようになっている。
【００２４】
本発明の例示的な実施の形態を添付図面を参照して記述したが、本発明はこの実施形態そのものに限定されないこと、本発明の範囲および思想から逸脱することなく、当業者がこの記述に各種の変更と訂正を加え得ることを了解されるべきである。
【図面の簡単な説明】
【図１】本発明により作られた飲料小出しカップの斜視図
【図２】蓋を閉止位置にしたカップの平面図
【図３】蓋を開放位置にした図２に類似のカップの平面図
【図４】図２の４−４線上断面図
【図５】図３の５−５線上断面図
【図６】カップとドームと蓋の拡大斜視図
【図７】選択的に開閉するドームの頸部と蓋の拡大分解斜視図
【図８】蓋の底部斜視図
【図９】積み重ねた飲料容器の複数個のカップの斜視図
【図１０】積み重ねた飲料容器の複数個のカバーの斜視図
【図１】
0003626411.tif 000002
【図２】
0003626411.tif 000003
【図３】
0003626411.tif 000004
【図４】
0003626411.tif 000005
【図５】
0003626411.tif 000006
【図６】
0003626411.tif 000007
【図７】
0003626411.tif 000008
【図８】
0003626411.tif 000009
【図９】
0003626411.tif 000010
【図１０】
0003626411.tif 000011